(57)【要約】      （修正有）【課題】ネックレス、ペンダント、ブレスレッド、アンクレットやベルトの長丈物アクセサリー本体の長さ調節機能を持たないアクセサリーを切断することなく、違和感なく簡単に着脱可能で、好みの長さに自在調節できる長さ調節機能を付加させると共に、複数本の同時連結を可能とする。【解決手段】ネックレス、ペンダント、ブレスレッド、アンクレットやベルトの長丈物アクセサリー本体100の引き輪部分102に長さ調整具の取り付け具部分11を連結させ、さらにネックレス及びペンダントの留め具部分101を長さ調整具のチェーン部分12に、それぞれ長さを調節しながら連結させることにより、長さの調節と複数本での使用を可能とし、服飾への対応の幅を広げ、使用者に個人のファッションセンスの表現の一環としての組み合わせにより身飾の楽しみを与え、ファッション性の幅を広げて装着の機会を増やす上、材料の節約にも役立つ。【選択図】図３
2009279436.tif 000002
【特許請求の範囲】
【請求項１】
ネックレス、ペンダント、ブレスレッド、アンクレットやベルト等の長丈物アクセサリー本体の引き輪に結合する取り付け具部分と、前述の長尺物アクセサリー本体の端部に配置される留め具と複数相互に連結できる輪状体の径が留め具のアームの径よりも大きく係合可能なリングから成るチェーン部分と、取り付け具の他方にあるファッション性を高めるチャーム部分から構成され、アクセサリーに長さの自在調節機能と複数本の同時連結機能を持たせることにより、服飾への適応範囲の幅を広げるところを特徴とするチャーム付き長さ調整具。
【発明の詳細な説明】
【技術分野】
【０００１】
本発明は、ネックレス、ペンダント、ブレスレッド、アンクレットやベルトの長丈物アクセサリー本体の片側にある引き輪部分に違和感なく簡単に着脱可能で、一方に前述の長尺物アクセサリー本体の引き輪に結合する取り付け具を持つことにより、複数本の同時連結を可能にし、連続して付属する長さ自在調節のためのチェーン部分の他方に、ファッション性を高めるチャームを持った長さ調整具に関するものである。
【背景技術】
【０００２】
ネックレス、ペンダント、ブレスレッド、アンクレットやベルトの長丈物アクセサリーは長さ調整具が付属していない場合が多く、好みの長さで装着することは困難で、場合によっては本体を短く切らねばならなかった。また、長さ調整具が固定的に取り付けられているアクセサリーは、従来単体での使用が基本であり、それぞれの服飾への適応範囲が限られていた。
【０００３】
この改善策として、ネックレス、ペンダント、ブレスレッド、アンクレットやベルトの長丈物アクセサリー本体に簡単に脱着可能な取り付け具に、アクセサリー本体の留め具と係合することで長さの自在調整と複数本の同時連結を可能とするチェーン部分を設け、さらに留め具の他方にチャームを取り付けることにより、アクセサリーを違和感なく使用できると同時に、ファッション性を高める。
【発明の概要】
【発明が解決しようとする課題】
【０００４】
ネックレス、ペンダント、ブレスレッド、アンクレットやベルトの長丈物アクセサリー本体には、長さ調節具が付属していない場合も多く、場合によっては切断しなければならなかった。またアクセサリーは従来単体の使用が基本であるため、現代の多様な服飾デザインに対応するためには、少ない本数では装着の機会に限界があり、より多くの数量を購入しなければならないという経済的負担の上に、十分な収蔵スペースも必要であった。そこで当調整具の使用により、アクセサリー本体を切断することなく、違和感なく簡単に着脱可能で好みの長さに自在調節する長さ調節機能と、複数本の同時連結機能を持たせることにより、一層対応の幅を広げて装着の機会を増やす。さらに当調整具の付属を前提とした制作を行うことにより、材料の節約が可能となり、前述の欠点を解決しようとするものである。
【課題を解決するための手段】
【０００５】
ネックレス、ペンダント、ブレスレッド、アンクレットやベルトの長丈物アクセサリー本体の引き輪に結合する取り付け具部分と、前述の長尺物アクセサリー本体の端部に配置される留め具と複数相互に連結できる輪状体の径が留め具のアームの径よりも大きく係合可能なリングから成るチェーン部分と、取り付け具の他方にあるファッション性を高めるチャーム部分から構成され、アクセサリーに長さの自在調節機能と複数本の同時連結機能を持たせることにより、服飾への適応範囲の幅を広げるところを特徴とするチャーム付き長さ調整具。
【発明の効果】
【０００６】
本発明のネックレス、ペンダント、ブレスレッド、アンクレットやベルトの長丈物アクセサリー本体の片側にある引き輪部分に着脱可能で、一方で取り付け具を設けた長さ調整具を使用することにより、アクセサリーを切断することなく装着可能で、長さを調節する機能を付加する。さらに違和感なく複数本の同時連結を可能とするため、対応できる服飾の幅を広げるとともに、アクセサリー組み合わせによって生まれる新しいコンビネーションを、個人の表現の一環としてファッションセンスを楽しむことができる。このように実際に装着する機会を増やすことにより、経済性を高めると同時に収蔵スペースの省略、またアクセサリー本体部分の材料の節約ができる。
【図面の簡単な説明】
【０００７】
【図１】チャーム付き長さ調整具本体
【図２】連結するネックレス及びペンダント例
【図３】複数本連結時の状態
【図４】チャーム付き長さ調整具の取り付け具部分の例
【図５】チャーム付き長さ調整具のチェーン部分の例
【図６】チャーム付き長さ調整具のチャーム部分の例
【図７】長尺物アクセサリーの留め具部分の例
【図８】長尺物アクセサリーの引き輪部分の例
【発明を実施するための形態】
【０００８】
本発明に係るチャーム付き長さ調整具は、ネックレス、ペンダント、ブレスレッド、アンクレットやベルトの長丈物アクセサリー100の引き輪部分101に当調整具の取り付け具部分11を連結させ、さらに前述のアクセサリー100の留め具102をアクセサリー100の長さを調節しながらチェーン部分12の適当な穴に連結をさせる。この取り付け具部分11には、開閉式と釣り針式のものがある。この長さ調整具のチェーンの輪状の径L1は、長尺物アクセサリー本体の留め具の径L2よりも大きい。
【実施例】
【０００９】
以下、添付図面に従って一実施例を説明する。長さ調整具1の11はアクセサリーの引き輪部分に連結のための取り付け具部分、12はアクセサリーの留め具を留める位置により、長さを自在に調節できるチェーン部分、13はアクセサリーのファッション性を高めるチャーム部分である。
【００１０】
取り付け具11は開閉式また釣り針式で、複数本ネックレス及びペンダント100の引き輪101に連結させる。複数本ネックレス及びペンダント100の留め具102にてそれぞれ長さを調節しながら、長さ調整具のチェーン部分12と連結させることにより、本来別々のネックレスまたはペンダントであったものを１本のアクセサリーとして、後方からも違和感なく装着できる。
【００１１】
本発明の一実施例は上述の如き構成からなるものであるから、この長さ調整具を使用することで、単数使用時にもこの機能を有しないアクセサリーに、長さ調節機能が付加するとともに、違和感なく複数本の同時連結使用が可能となる。
【符号の説明】
【００１２】
１    チャーム付き長さ調整具本体
１１  チャーム付き長さ調整具の取り付け具部分
Ａ  開閉式の取り付け具
Ｂ  開閉式の取り付け具
Ｃ  釣り針式の取り付け具
ａ  開閉用レバー
ｂ  アーム部分
ｃ  開閉部分
Ｌ１  チャーム付き長さ調整具のチェーンの輪状の径
１２  チャーム付き長さ調整具のチェーン部分
Ｄ  同一サイズのリングによるチェーン
Ｅ  等間隔で契合可能なリングがあるチェーン
Ｆ  異なるサイズのリングの組み合わせによるチェーン
１３  チャーム付き長さ調整具のチャーム部分
Ｇ  平らな刻印用チャーム
Ｈ  立体のチャーム
Ｉ  立体の刻印用チャーム
１００  長尺物アクセサリー本体
１０１  長尺物アクセサリー本体の留め具
Ｊ  開閉式の留め具
Ｋ  開閉式の留め具
Ｌ  釣り針式の留め具
ｄ  開閉用レバー
ｅ  アーム部分
ｆ  開閉部分
Ｌ２  長尺物アクセサリー本体の留め具の径
１０２  長尺物アクセサリー本体の引き輪
Ｍ  輪状の引き輪
Ｎ  穴状の引き輪
Ｏ  穴状の引き輪 
ｇ  引き輪部分
ｈ  本体への結合部分
【図１】
2009279436.tif 000003
【図２】
2009279436.tif 000004
【図３】
2009279436.tif 000005
【図４】
2009279436.tif 000006
【図５】
2009279436.tif 000007
【図６】
2009279436.tif 000008
【図７】
2009279436.tif 000009
【図８】
2009279436.tif 000010